(57)【要約】【課題】滑り止めゴム層に皺、白化や部分剥離が生じにくく、筆具に正確に転写できる筆具用転写フィルムの提供を目的とする。【解決手段】筆具用転写フィルムは、滑り止めゴム層と、上記滑り止めゴム層に対向して配置された接着性樹脂層と、上記滑り止めゴム層と上記接着性樹脂層との間に設けられ、上記接着性樹脂層側から上記滑り止めゴム層側への上記有機溶剤の通過を遮断する有機溶剤不透過性樹脂層と、を含む転写部を備える。【選択図】図１
2018001629.tif 000002
【特許請求の範囲】
【請求項１】
滑り止めゴム層と、
前記滑り止めゴム層に対向して配置された接着性樹脂層と、
前記滑り止めゴム層と前記接着性樹脂層との間に設けられ、前記接着性樹脂層側から前記滑り止めゴム層側への有機溶剤の通過を遮断する有機溶剤不透過性樹脂層と、を含む転写部を備える筆具用転写フィルム。
【請求項２】
前記滑り止めゴム層の厚みは、０．５μｍ以上２０μｍ以下である請求項１記載の筆具用転写フィルム。
【請求項３】
前記接着性樹脂層は、前記有機溶剤不透過性樹脂層の表面に当接しており、
前記有機溶剤不透過性樹脂層の表面は粗面化されている請求項１記載の筆具用転写フィルム。
【請求項４】
前記滑り止めゴム層は、主成分として紫外線硬化型ゴムを含有する請求項１記載の筆具用転写フィルム。
【請求項５】
前記滑り止めゴム層は、表面にパターン状に形成された複数のゴム層パターン部を含む請求項１記載の筆具用転写フィルム。
【請求項６】
剥離部の上方に、滑り止めゴム層を形成する工程と、
前記滑り止めゴム層の上方に、有機溶剤の通過を遮断する有機溶剤不透過性樹脂層を形成する工程と、
前記有機溶剤不透過性樹脂層の上方に、前記有機溶剤を含む接着性樹脂材料によって接着性樹脂層を形成する工程と、を備える筆具用転写フィルムの製造方法。
【請求項７】
剥離部の上方に、有機溶剤を含む接着性樹脂材料によって接着性樹脂層を形成する工程と、
前記接着性樹脂層の上方に、前記有機溶剤の通過を遮断する有機溶剤不透過性樹脂層を形成する工程と、
前記有機溶剤不透過性樹脂層の上方に、滑り止めゴム層を形成する工程と、を備える筆具用転写フィルムの製造方法。
【請求項８】
滑り止めゴム層と、前記滑り止めゴム層に対向して配置された接着性樹脂層と、前記滑り止めゴム層と前記接着性樹脂層との間に設けられ、前記接着性樹脂層側から前記滑り止めゴム層側への有機溶剤の通過を遮断する有機溶剤不透過性樹脂層とを備える転写部と、
表面の少なくとも一部に前記接着性樹脂層が当接し、前記転写部によって表面の少なくとも一部が被覆された筆具本体部と、を備える筆具。
【請求項９】
滑り止めゴム層と、前記滑り止めゴム層に対向して配置された接着性樹脂層と、前記滑り止めゴム層と前記接着性樹脂層との間に設けられ、前記接着性樹脂層側から前記滑り止めゴム層側への有機溶剤の通過を遮断する有機溶剤不透過性樹脂層とを備える転写部を、前記接着性樹脂層が筆具本体部の表面に当接するように前記筆具本体部に転写して、前記筆具本体部の表面の少なくとも一部を被覆する転写工程を備える筆具の製造方法。
【発明の詳細な説明】
【技術分野】
【０００１】
本発明は、筆具用転写フィルム、筆具用転写フィルムの製造方法、筆具および筆具の製造方法に関する。
【背景技術】
【０００２】
鉛筆などの筆具は、把持面が平滑である場合に滑りが生じやすく、長時間使用すると疲労することがある。このため、筆具には、把持面に滑り止め加工を施す場合がある。従来、このような滑り止め加工は、塗料を塗布してラバー触感の塗膜を形成する方法や、発泡性樹脂をコーティングする方法によって行われていた。
【０００３】
しかし、従来の方法は、筆具のデザインの自由度を高くすることができず、簡便に製造することができないという問題があった。このため、特許文献１には、基材と、ポリウレタン樹脂からなる滑り止め層及び接着性樹脂層が積層された転写部とから構成される転写フィルムを用い、筆具の把持面に転写部を転写して、筆具の把持面に滑り止め加工を施すことが記載されている。
【先行技術文献】
【特許文献】
【０００４】
【特許文献１】特開２０１４−４００７４号公報
【発明の概要】
【発明が解決しようとする課題】
【０００５】
上記のように、基材と、滑り止め層及び接着性樹脂層が積層された転写部とを備える転写フィルムは、筆具のデザインの自由度を高くすることができ、簡便に製造することができる。しかし、本発明者らは、上記従来の転写フィルムを用いると、有機溶剤を含有する接着性樹脂材料で接着性樹脂層を形成し、かつ、ゴム材料で滑り止め層を形成した場合に、図９に示すように、転写フィルム１００に皺、白化や部分剥離が生じ、商品の外観に問題が生じることを知見した。これは、製造時に接着性樹脂材料に含まれる有機溶剤や接着性樹脂層内に残留する有機溶剤などの転写フィルム中の有機溶剤によって、薄膜状の滑り止めゴム層が膨潤された結果として生じるものであった。また、このような転写フィルム１００は、意図しない段階で転写部の剥離が生じ、筆具に転写部を正確に転写することが困難であった。
【０００６】
したがって、本発明は、滑り止めゴム層に皺、白化や部分剥離が生じにくく、筆具に転写部を正確に転写できる筆具用転写フィルム及びその製造方法、その筆具用転写フィルムを用いた筆具およびその製造方法を提供することを目的とする。
【課題を解決するための手段】
【０００７】
（１）本発明の実施形態に係る筆具用転写フィルムは、滑り止めゴム層と、上記滑り止めゴム層に対向して配置された接着性樹脂層と、上記滑り止めゴム層と上記接着性樹脂層との間に設けられ、上記接着性樹脂層側から上記滑り止めゴム層側への有機溶剤の通過を遮断する有機溶剤不透過性樹脂層と、を含む転写部を備える。
（２）本発明の実施形態に係る筆具用転写フィルムは、上記（１）記載の筆具用転写フィルムであって、上記滑り止めゴム層の厚みは、０．５μｍ以上２０μｍ以下であってもよい。
（３）本発明の実施形態に係る筆具用転写フィルムは、上記（１）記載の筆具用転写フィルムであって、上記接着性樹脂層は、上記有機溶剤不透過性樹脂層の表面に当接しており、上記有機溶剤不透過性樹脂層の表面は粗面化されていてもよい。
（４）本発明の実施形態に係る筆具用転写フィルムは、上記（１）記載の筆具用転写フィルムであって、上記滑り止めゴム層は、主成分として紫外線硬化型ゴムを含有してもよい。
（５）本発明の実施形態に係る筆具用転写フィルムは、上記（１）記載の筆具用転写フィルムであって、上記滑り止めゴム層は、パターン状に形成された複数のゴム層パターン部を含むものであってもよい。
（６）本発明の実施形態に係る筆具用転写フィルムの製造方法は、剥離部の上方に、滑り止めゴム層を形成する工程と、上記滑り止めゴム層の上方に、有機溶剤の通過を遮断する有機溶剤不透過性樹脂層を形成する工程と、上記有機溶剤不透過性樹脂層の上方に、上記有機溶剤を含む接着性樹脂材料によって接着性樹脂層を形成する工程と、を備えるものであってもよい。
（７）本発明の実施形態に係る筆具用転写フィルムの製造方法は、剥離部の上方に、有機溶剤を含む接着性樹脂材料によって接着性樹脂層を形成する工程と、前記接着性樹脂層の上方に、前記有機溶剤の通過を遮断する有機溶剤不透過性樹脂層を形成する工程と、前記有機溶剤不透過性樹脂層の上方に、滑り止めゴム層を形成する工程と、を備えるものであってもよい。
（８）本発明の実施形態に係る筆具は、滑り止めゴム層と、上記滑り止めゴム層に対向して配置された接着性樹脂層と、上記滑り止めゴム層と上記接着性樹脂層との間に設けられ、上記接着性樹脂層側から上記滑り止めゴム層側への有機溶剤の通過を遮断する有機溶剤不透過性樹脂層とを備える転写部と、表面の少なくとも一部に上記接着性樹脂層が当接し、上記転写部によって表面の少なくとも一部が被覆された筆具本体部と、を備える。
（９）本発明の実施形態に係る筆具の製造方法は、滑り止めゴム層と、上記滑り止めゴム層に対向して配置された接着性樹脂層と、上記滑り止めゴム層と上記接着性樹脂層との間に設けられ、上記接着性樹脂層側から上記滑り止めゴム層側への有機溶剤の通過を遮断する有機溶剤不透過性樹脂層とを備える転写部を、上記接着性樹脂層が筆具本体部の表面に当接するように上記筆具本体部に転写して、上記筆具本体部の表面の少なくとも一部を被覆する転写工程を備える。
【発明の効果】
【０００８】
本発明は、滑り止めゴム層に皺、白化や部分剥離が生じにくく、筆具に転写部を正確に転写できる筆具用転写フィルム及びその製造方法、その転写フィルムを用いた筆具およびその製造方法を提供することができる。
【図面の簡単な説明】
【０００９】
【図１】本発明の実施形態に係る筆具の斜視図である。
【図２】本発明の実施形態に係る筆具用転写フィルムの平面図である。
【図３】図２のＸ−Ｘ'断面の断面図である。
【図４】本発明の実施形態の変形例に係る筆具用転写フィルムの断面図である。
【図５】本発明の実施形態の変形例に係る筆具用転写フィルムの断面図である。
【図６】（Ａ）〜（Ｂ）は本発明の実施形態の変形例に係る筆具用転写フィルムの平面図である。
【図７】本発明の実施形態の変形例に係る筆具用転写フィルムの平面図である。
【図８】（Ａ）〜（Ｂ）は本発明の実施形態に係る筆具の製造方法を示す工程説明図である。
【図９】従来技術に係る筆具用転写フィルムの平面図である。
【発明を実施するための形態】
【００１０】
［筆具１］
図１を参照して、本発明の実施形態に係る筆具１について説明する。図１は、本発明の実施形態に係る筆具１の斜視図である。図１に示すように、筆具１は、筆具本体部１０と、筆具本体部１０に転写され、筆具本体部の表面１０ｓの少なくとも一部を被覆する転写部２０とを備える。
【００１１】
本明細書中、筆具１という用語は、図示する鉛筆を含む筆記具、化粧品、薬品及び塗料等を塗布する筆および刷毛などの塗布具を含有する概念として用いる。したがって、筆具本体部１０とは、筆記部や塗布部として機能する軸部分をいう。また、本明細書の全体を通して同じ要素には同じ番号を付して説明する。
【００１２】
転写部２０は、筆具本体部の表面１０ｓの全面または一部を被覆するように設けられる。転写部２０は、筆具本体部１０の非当接面側の転写部の表面２０ｓに滑り止めゴム層２２を備える。これにより、筆具１の把持面に、滑り止めゴム層２２が配置されることになる。滑り止めゴム層２２は、筆具本体部１０の非当接面側にゴム層パターン部２２ａを有するものでもよいし、ゴム層パターン部２２ａがなく、後述する平滑なゴム層基部２２ｂからなるものであってもよい。複数のゴム層パターン部２２ａがある場合、転写部の表面２０ｓ、すなわち筆具１の把持面に、模様を付することができる。筆具１は、後述する筆具用転写フィルム２を用いて、筆具本体部１０に転写部２０を転写することで形成される。
【００１３】
［筆具用転写フィルム２］
図２および図３を参照して、本実施形態の筆具用転写フィルム２について説明する。図２は、本発明の実施形態に係る筆具用転写フィルム２の平面図であり、図３は、図２のＸ−Ｘ'断面の断面図である。筆具用転写フィルム２は、転写部２０と、転写部２０が固着された滑り止めゴム層側の剥離部３０とを備える。転写部２０は、滑り止めゴム層２２と、滑り止めゴム層２２に対向して配置された接着性樹脂層２８と、滑り止めゴム層２２と接着性樹脂層２８との間に設けられ、接着性樹脂層２８の側から滑り止めゴム層２２の側への有機溶剤の通過を遮断する有機溶剤不透過性樹脂層２６とを含有する。
【００１４】
これにより、本発明の筆具用転写フィルム２は、筆具１の把持面に滑り止めを簡易に形成することができると共に、製造時に接着性樹脂層２８の形成材料に含まれる有機溶剤や接着性樹脂層２８内に残留する有機溶剤によって、滑り止めゴム層２２に皺、白化や部分剥離が生じにくく、筆具１に対して正確に転写を行うことができるものである。すなわち、接着性樹脂層２８の側から滑り止めゴム層２２の側への有機溶剤の通過を遮断する有機溶剤不透過性樹脂層２６を含有することで、薄膜状の滑り止めゴム層２２の膨潤が抑制され、滑り止めゴム層２２に皺、白化や部分剥離の発生が抑制されている。
【００１５】
転写部２０は、転写部の裏面２０ｂ側に含有された接着性樹脂層２８によって、筆具本体部の表面１０ｓに固着される。転写部２０の厚みは、１０μｍ以上３５μｍ以下とすることができる。これにより、転写部２０は、筆具１に滑り止め機能が十分付与されると共に、転写部２０の密着性が低下し、または転写部２０の転写圧にばらつきが生じるのを抑制できる。
【００１６】
有機溶剤不透過性樹脂層２６は、接着性樹脂層２８と滑り止めゴム層２２との間に設けられ、接着性樹脂層２８の側から滑り止めゴム層２２の側への有機溶剤の通過を遮断する樹脂層である。なお、有機溶剤不透過性樹脂層２６は、樹脂を主成分として含有する層である。有機溶剤不透過性樹脂層２６は、滑り止めゴム層２２の少なくとも一部に当接して設けられていることが好ましい。これにより、滑り止めゴム層２２への有機溶剤の影響をより効果的に低減できるからである。また、有機溶剤不透過性樹脂層２６は、接着性樹脂層２８と滑り止めゴム層２２との間において、全面に亘って設けられていることが好ましい。
【００１７】
有機溶剤不透過性樹脂層２６は、有機溶剤の種類によって、その材質が異なっているが、例えば、硬化処理によって硬化する熱硬化性樹脂、紫外線硬化性樹脂、電子線硬化性樹脂、放射線硬化性樹脂などが主成分として含有されたものであってもよい。中でも、有機溶剤不透過性樹脂層２６は、紫外線硬化性樹脂が主成分として含有され、有機溶剤が含有されないものとすることができる。これにより、滑り止めゴム層２２への有機溶剤の影響がより低減されると共に、有機溶剤不透過性樹脂層２６が短時間に形成され、硬化処理による他の層への影響を低減できるからである。有機溶剤不透過性樹脂層２６の材料は、接着性樹脂層２８または接着性樹脂材料に含まれる有機溶剤に対する有機溶剤不透過性樹脂層２６の耐膨潤性が、接着性樹脂層２８または接着性樹脂材料に含まれる有機溶剤に対する滑り止めゴム層２２の耐膨潤性よりも高くなるように選択される。例えば、有機溶剤として、トルエン、ヘキサンなどの炭化水素系溶剤、エステル系溶剤、ケトン系溶剤などを接着性樹脂層２８または接着性樹脂材料に含有する場合、有機溶剤不透過性樹脂層２６としては、ウレタンアクリレートモノマーの重合体、ウレタンアクリレートオリゴマーの重合体、多官能アクリレートモノマーの重合体、多官能アクリレートオリゴマーの重合体、エポキシアクリレートモノマーの重合体、エポキシアクリレートオリゴマーの重合体、ポリエステルアクリレートモノマーの重合体、ポリエステルアクリレートオリゴマーの重合体からなる群から選択される少なくとも一種を含むことができる。
【００１８】
有機溶剤不透過性樹脂層の表面２６ｓは粗面化され、接着性樹脂層２８は有機溶剤不透過性樹脂層の表面２６ｓに当接して設けられていてもよい。有機溶剤不透過性樹脂層２６の耐有機溶剤性が増すと、有機溶剤不透過性樹脂層２６と接着性樹脂層２８との間の密着性は低下する。このため、このように粗面化されることで、有機溶剤不透過性樹脂層２６と接着性樹脂層２８との間の密着性の低下が抑制され、転写部２０の一部となる有機溶剤不透過性樹脂層２６と接着性樹脂層２８の密着性が高められる。この結果、有機溶剤不透過性樹脂層の表面２６ｓの表面粗さが、有機溶剤不透過性樹脂層の表面２６ｓに対向する裏面２６ｂの表面粗さよりも大きくなるように形成されてもよい。
【００１９】
滑り止めゴム層２２は、筆具１の把持面の滑り止めとして機能する層である。滑り止めゴム層２２は、天然ゴム、イソプレンゴム、ブタジエンゴム、スチレンゴム、ブチルゴム、エチレンプロピレンゴム、クロロプレンゴム、エピクロロヒドリンゴム、ニトリルゴム、アクリルゴム、ウレタンゴム、多硫化ゴム、シリコーンゴム、フッ素ゴムなどの公知のゴム材料からなる群から選択される少なくとも一種を含有する。ブロッキングを防止するために、滑り止めゴム層２２には、ブロッキング剤を含有させることができる。
【００２０】
筆具用転写フィルム２が鉛筆などの筆記具の把持面に転写される筆記具用転写フィルムである場合、滑り止めゴム層２２の厚みは、０．５μｍ以上２０μｍ以下とすることができる。これにより、筆記具の把持面に滑り止め機能を十分付与することができると共に、滑り止めゴム層２２の着肉ムラの発生を抑制できる。このような薄膜状の滑り止めゴム層２２が、接着性樹脂層２８に含まれる有機溶剤によって膨潤された場合、皺、白化や部分剥離が生じやすい。このため、本発明により、効果的に筆記具用転写フィルムの皺、白化や部分剥離の発生が抑制され、転写部２０を筆具１に正確に転写できる。
【００２１】
滑り止めゴム層２２は、パターン状に形成された複数のゴム層パターン部２２ａを表面に有してもよい。例えば、滑り止めゴム層２２は、図２に示すように、千鳥状に配置された複数の点形状のゴム層パターン部２２ａを有してもよい。図６には、本発明の実施形態の変形例に係る筆具用転写フィルム２ａ，２ｂの平面図を示すが、図６（Ｂ）に示すように、筆具用転写フィルム２ｂにおいて、滑り止めゴム層２２は平行に配列された複数の条状のゴム層突条部２２ｃを有してもよい。また、図６（Ａ）に示すように、筆具用転写フィルム２ａにおいて、ゴム層パターン部２２ａを有さず、ゴム層基部２２ｂのみを有するものであってもよい。
【００２２】
滑り止めゴム層２２は、主成分として紫外線硬化型ゴムを含有するものであってもよい。これにより、滑り止めゴム層２２を厚く形成することが可能となり、筆具１に滑り止め機能を十分付与することができると共に、滑り止めゴム層２２に皺、白化や部分剥離の発生することを一層抑制できる。
【００２３】
接着性樹脂層２８は、転写接着性樹脂と有機溶剤とを含有する接着性樹脂材料を塗布後、必要に応じて、乾燥、冷却または硬化処理の少なくとも何れか一つを行うことで形成される。なお、硬化処理は、熱硬化性樹脂、紫外線硬化性樹脂、電子線硬化性樹脂、放射線硬化性樹脂などの硬化性塗膜に対して施される。接着性樹脂層２８には、残留する有機溶剤を含有してもよい。接着性樹脂層２８の厚さは、０．１μｍ以上５μｍ以下の範囲とすることができる。
【００２４】
転写接着性樹脂としては、アクリル系樹脂、塩化ビニル系樹脂、酢酸ビニル系樹脂、塩化ビニル−酢酸ビニル共重合樹脂、スチレン−アクリル共重合樹脂、ポリエステル系樹脂、ポリアミド系樹脂、エポキシ系樹脂、イソシアネート系樹脂、シリコーン系樹脂、スチレン−ブタジエン系樹脂、エチレン−酢酸ビニル系樹脂、ポリエステル系樹脂、塩化ゴム系樹脂、塩素化ポリプロピレン系樹脂、ウレタン系樹脂からなる群から選択される１種または２種以上からなるものを例示することができる。
【００２５】
有機溶剤としては、酢酸エチル、酢酸ブチル、酢酸セルソルブ等のエステル系溶剤、エチルアルコ−ル、イソプロピルアルコ−ル、ブチルアルコ−ル等のアルコール系溶剤；トルエン、キシレン等の芳香族炭化水素系溶剤；ヘキサン、ヘプタン、及びシクロヘキサンのような脂肪族炭化水素系溶剤；塩化メチレン、クロロホルム、トリクロロエチレン、トリクロロエタン等のハロゲン化炭化水素溶剤；セロソルブアセテート、メトキシアセテートなどのアセテート系溶剤；アセトン、Ｎ−メチルピロリドン、メチルエチルケトン、シクロヘキサノン等のケトン系溶剤；ジオキサン、テトラヒドロフラン等の非プロトン性溶剤からなる群から選択される１種または２種以上からなるものを例示することができる。なお、接着性樹脂材料には、増粘剤、可塑剤、顔料、染料、皮膜形成剤、助剤等の添加物が含まれていてもよい。
【００２６】
接着性樹脂層２８または接着性樹脂材料に含まれる有機溶剤、滑り止めゴム層２２および有機溶剤不透過性樹脂層２６の組み合わせは、接着性樹脂層２８または接着性樹脂材料に含まれる有機溶剤の種類、有機溶剤不透過性樹脂層２６および滑り止めゴム層２２の材質によって異なっている。また、接着性樹脂層２８または接着性樹脂材料に含まれる有機溶剤に対する、滑り止めゴム層２２の耐膨潤性が低いものである程、有機溶剤不透過性樹脂層２６による効果が大きくなる。例えば、滑り止めゴム層２２にイソプレンゴムおよびブタジエンゴムの少なくとも一方を含有する場合、接着性樹脂層２８に含まれる有機溶剤がトルエンやヘキサン、イソオクタン、イソプロピルエーテル、安息香酸ベンジル、エチルベンゼン、エピクロルヒドリン、キシレン、ケロシン、鉱油、酢酸、酢酸エステル、ジイソプロピルケトン、シクロヘキサノール、シクロヘキサン、ジエチルエーテル、セロソルブ、テトラヒドロフラン、テトラクロロエタン、テトラリン、ヘキサン、ピリジン等であると、有機溶剤不透過性樹脂層２６による外観不良抑制および剥離抑制効果が大きくなる。この場合、有機溶剤不透過性樹脂層２６は、ウレタンアクリレートモノマーの重合体、ウレタンアクリレートオリゴマーの重合体、多官能アクリレートモノマーの重合体、多官能アクリレートオリゴマーの重合体、エポキシアクリレートモノマーの重合体、エポキシアクリレートオリゴマーの重合体、ポリエステルアクリレートモノマーの重合体、ポリエステルアクリレートオリゴマーの重合体からなる群から選択される少なくとも一種を含むことができる。
【００２７】
また、例えば、滑り止めゴム層２２にイソプレンゴムおよびブタジエンゴムの少なくとも一方を含有する場合、接着性樹脂層２８に含まれる有機溶剤がアセトフェノン、アセトン、イソオクタン、イソプロピルエーテル、エチルベンゼン、エピクロルヒドリン、キシレン、ケロシン、鉱油、酢酸、酢酸エステル、ジイソプロピルケトン、ジエチルエーテル、セロソルブ、ジオキサン、フェノール、ヘキサン、ピリジン等であると、有機溶剤不透過性樹脂層２６による外観不良抑制および剥離抑制効果が大きくなる。この場合も、有機溶剤不透過性樹脂層２６は、ウレタンアクリレートモノマーの重合体、ウレタンアクリレートオリゴマーの重合体、多官能アクリレートモノマーの重合体、多官能アクリレートオリゴマーの重合体、エポキシアクリレートモノマーの重合体、エポキシアクリレートオリゴマーの重合体、ポリエステルアクリレートモノマーの重合体、ポリエステルアクリレートオリゴマーの重合体からなる群から選択される少なくとも一種を含むことができる。
【００２８】
さらにまた、例えば、滑り止めゴム層２２にブチルゴムを含有する場合、接着性樹脂層２８に含まれる有機溶剤がアセトン、イソオクタン、イソプロピルエーテル、エチルベンゼン、キシレン、ケロシン、鉱油、酢酸、 脂肪酸 、ジイソプロピルケトン、ジエチルエーテル、ジオキサン、ヘキサン等であると、有機溶剤不透過性樹脂層２６による外観不良抑制および剥離抑制効果が大きくなる。この場合も、有機溶剤不透過性樹脂層２６は、ウレタンアクリレートモノマーの重合体、ウレタンアクリレートオリゴマーの重合体、多官能アクリレートモノマーの重合体、多官能アクリレートオリゴマーの重合体、エポキシアクリレートモノマーの重合体、エポキシアクリレートオリゴマーの重合体、ポリエステルアクリレートモノマーの重合体、ポリエステルアクリレートオリゴマーの重合体からなる群から選択される少なくとも一種を含むことができる。
【００２９】
滑り止めゴム層側の剥離部３０は、転写部２０に剥離可能に設けられた基材シートを含有する。後述するように、滑り止めゴム層側の剥離部３０は、筆具本体部の表面１０ｓに転写部２０を固着する工程の前後のいずれか一方または上記固着工程と同時に、転写部２０から除去されるものである。滑り止めゴム層側の剥離部３０の厚さは、６μｍ以上２００μｍ以下とすることができる。滑り止めゴム層側の剥離部３０は、転写部２０と同じ外形で設けられてもよいし、図７に示すように、転写部２０の外形よりも大きい外形で設けられてもよい。筆具用転写フィルム２ｅは、複数の転写部２０と滑り止めゴム層側の剥離部３０が積層されたものである。図７に示すように、転写部２０の外形よりも大きい外形で設けられる場合、滑り止めゴム層側の剥離部３０の剥離を一層容易に行うことができ、複数の転写部２０を搬送し易くすることができる。
【００３０】
基材シートには、可とう性基材シートを用いることができる。例えば、可とう性基材シートとしては、ポリエチレンテレフタラートなどのポリエステルフィルム、ポリプロピレンなどのポリオレフィンフィルム、ポリカーボネート、ポリアミド、ポリイミドなどのプラスチックフィルム、グラシン紙、パラフィン紙などの剥離紙を用いることができる。滑り止めゴム層側の剥離部３０は、基材シートと基材シートの転写部２０が設けられた表面３０ｓに形成された離型層とを備えていてもよいし、離型性のある基材シートのみからなるものであってもよい。離型層は、転写の際の転写層の離型性が十分でない場合に設けることができ、離型層を形成するために基材シートに塗布される離型剤としては、ワックス類、シリコーンワックス、シリコーン系樹脂、フッ素樹脂、アクリル系樹脂、ポリビニルアルコール等の１種以上を選択して用いることができる。
【００３１】
なお、滑り止めゴム層側の剥離部３０は有機溶剤不透過性材料を主成分として含むものであってもよい。これによれば、筆具用転写フィルム２をロール状に巻回し、または、枚葉状に積層することで、筆具用転写フィルム２を複数含む場合において、隣接する筆具用転写フィルム２の接着性樹脂層２８からの有機溶剤によって、滑り止めゴム層２２が膨潤して、外観上の不具合が発生するのを抑制できる。
【００３２】
また、滑り止めゴム層側の剥離部３０は透光部材からなるものであってもよい。これにより、滑り止めゴム層２２に紫外線硬化型ゴムを含有する場合、滑り止めゴム層側の剥離部３０を介して、滑り止めゴム層２２に紫外線を照射することができ、搬送装置などに未硬化の紫外線硬化型ゴム材料が付着することなく、滑り止めゴム層２２を形成することができる。
【００３３】
さらに、図示しないが、筆具用転写フィルム２は、各層間に、層間の固着性を高めるためのプライマー層、装飾性を付加するための装飾層などの他の層を備えてもよいことは言うまでもない。
【００３４】
次に、本実施形態の筆具用転写フィルム２の一の製造方法について説明する。まず、本実施形態の筆具用転写フィルム２の一の製造方法は、滑り止めゴム層側の剥離部３０の上方に、滑り止めゴム層２２を形成する工程を備える。滑り止めゴム層２２の形成工程では、公知の塗布方法によって滑り止めゴム層形成材料を塗布した後、必要があれば、乾燥、冷却または硬化処理の少なくとも何れか一つを行うことによって滑り止めゴム層２２を形成する。
【００３５】
上記一の製造方法は、さらに、滑り止めゴム層２２の上方に有機溶剤不透過性樹脂層２６を形成する工程を備える。有機溶剤不透過性樹脂層２６の形成工程では、公知の塗布方法によって滑り止めゴム層形成材料を塗布した後、必要があれば、紫外線照射や乾燥などによって硬化処理をすることによって、有機溶剤不透過性樹脂層２６を形成する。
【００３６】
上記一の製造方法は、さらに、有機溶剤不透過性樹脂層２６の上方に、有機溶剤不透過性樹脂層２６により接着性樹脂層側から滑り止めゴム層側への透過が防止され、滑り止めゴム層２２を膨潤させることができる有機溶剤を含む接着性樹脂材料によって接着性樹脂層２８を形成する工程を備える。接着性樹脂層２８の形成工程では、公知の塗布方法によって滑り止めゴム層形成材料を塗布した後、必要があれば、乾燥、冷却または硬化処理の少なくとも何れか一つを行うことによって接着性樹脂層２８を形成する。
【００３７】
これにより、接着性樹脂層２８の形成工程において、滑り止めゴム層２２を有機溶剤不透過性樹脂層２６によって被覆保護することができるから、筆具用転写フィルム２の皺、白化や部分剥離を一層生じにくくすることができる。
【００３８】
なお、有機溶剤不透過性樹脂層２６の形成工程後、接着性樹脂層２８の形成工程前に、有機溶剤不透過性樹脂層の表面２６ｓを粗面化させる粗面化工程を備えてもよい。粗面化工程は、有機溶剤不透過性樹脂層の表面２６ｓにマッド加工ニスを塗布して粗面化層を積層することや、有機溶剤不透過性樹脂層の表面２６ｓをコロナ放電処理、短波長紫外線処理、プラズマエッチング処理、フレーミング処理等することによって行ってもよい。
【００３９】
さらに、本実施形態の筆具用転写フィルム２は他の製造方法で製造されてもよい。他の製造方法は変形例２に示す接着性樹脂層側の剥離部３２などの剥離性基材を備え、剥離性基材の側から積層することにより、筆具用転写フィルム２を製造するものである。本実施形態の筆具用転写フィルム２の他の製造方法は、上記剥離性基材の上方に、有機溶剤を含む接着性樹脂材料によって接着性樹脂層２８を形成する工程を備える。接着性樹脂層２８の形成工程は、公知の塗布方法によって滑り止めゴム層形成材料を塗布した後、必要があれば、乾燥、冷却または硬化処理の少なくとも何れか一つを行うことによって接着性樹脂層２８を形成する。
【００４０】
上記他の製造方法は、さらに、接着性樹脂層２８の上方に、有機溶剤の通過を遮断する有機溶剤不透過性樹脂層２６を形成する工程を備える。有機溶剤不透過性樹脂層２６の形成工程は、公知の塗布方法によって滑り止めゴム層形成材料を塗布した後、必要があれば、乾燥、冷却または硬化処理の少なくとも何れか一つを行うことによって有機溶剤不透過性樹脂層２６を形成する。
【００４１】
上記他の製造方法は、さらに、有機溶剤不透過性樹脂層２６の上方に、滑り止めゴム層２２を形成する工程を備える。滑り止めゴム層２２の形成工程および剥離部３０の形成工程は、一段階で行うことができ、公知の塗布方法によって滑り止めゴム層形成材料を塗布した後、滑り止めゴム層形成材料の塗膜の上方に剥離部３０となる基材シートなどを載置し、必要があれば、乾燥、冷却または硬化処理の少なくとも何れか一つを行うことによって滑り止めゴム層２２および剥離部３０を形成する。なお、上記剥離性基材は、そのまま留置して接着性樹脂層側の剥離部３２として用いてもよいし、剥離して接着性樹脂層２８を露出させてもよい。
【００４２】
これにより、有機溶剤不透過性樹脂層２６によって滑り止めゴム層２２を被覆することになる。したがって、接着性樹脂層２８に含まれる有機溶剤から滑り止めゴム層２２を保護することができるから、筆具用転写フィルム２の皺、白化や部分剥離を生じにくくすることができる。
【００４３】
なお、本実施形態の筆具用転写フィルム２の一または他の製造方法の説明において、上記塗布方法として、グラビア印刷、オフセット印刷またはスクリーン印刷などの印刷方法、または、ロールコート、バーコート、コンマコート、スプレイコート、押し出しコートなどのコート法を用いることができる。
【００４４】
（変形例１）
図４を参照して、本実施形態の筆具用転写フィルム２の変形例１に係る筆具用転写フィルム２ｃについて説明する。図４には、本変形例１に係る筆具用転写フィルム２ｃの断面図を示している。図４に示すように、所望の厚みに応じて、ゴム層基部２２ｂには、複数の滑り止めゴム部２２ｂ１，２２ｂ２，２２ｂ３が複数積層されている。また、接着性樹脂層２８も、複数の接着性樹脂部２８ａ，２８ｂが複数積層されている。図示はしないが、ゴム層パターン部２２ａや有機溶剤不透過性樹脂層２６などの他の層も複数層が積層されたものであってもよい。
【００４５】
（変形例２）
図５を参照して、本実施形態の筆具用転写フィルム２の変形例２に係る筆具用転写フィルム２ｄについて説明する。図５には、本変形例２に係る筆具用転写フィルム２ｄの断面図を示している。本変形例２に係る筆具用転写フィルム２ｄは、筆具用転写フィルム２の滑り止めゴム層側の転写部の表面２０ｓに滑り止めゴム層側の剥離部３０が積層されており、かつ、接着性樹脂層側の表面である転写部の裏面２０ｂにも接着性樹脂層側の剥離部３２が積層されたものである。これにより、接着性樹脂層２８が粘着性を有する場合などであっても、接着性樹脂層２８が最外層となることがないため、取扱いを容易とすることができる。
【００４６】
［筆具１の製造方法］
次に、図８を参照して、筆具１の製造方法について説明する。図８（Ａ）および（Ｂ）は、本発明の実施形態に係る筆具１の製造方法を示す工程説明図である。まず、筆具１の製造方法は、図８（Ａ）に示すように、筆具本体部の表面１０ｓに接着性樹脂層２８を当接させ、滑り止めゴム層側の剥離部３０を介して筆具用転写フィルム２に加熱および加圧の少なくとも一方を施し、筆具本体部１０に転写部２０を転写する転写工程を備える。滑り止めゴム層側の剥離部３０は転写と同時または転写前後の何れか一方において転写部２０から剥離する。転写工程は、平板状の定盤で加熱、加圧または加熱加圧することや、加熱または非加熱のロールで加熱、加圧または加熱加圧することにより実施できる。
【００４７】
そして、図８（Ｂ）に示すように、筆具本体部の表面１０ｓに沿って、転写部２０を巻回して、巻回した部分に加熱および加圧の少なくとも一方を順次施し、平面視において、筆具本体部１０を少なくとも一周するように転写部２０を転写する被覆工程を備える。さらに、転写部２０の両端部において、少なくとも一部を重複させて重複部２９を形成する重複部形成工程を備えてもよい。これにより、転写部２０によって、筆具本体部１０の全面が被覆され、図１のように、転写部２０と、転写部２０によって筆具本体部の表面１０ｓの少なくとも一部が被覆された筆具本体部１０と、を備える筆具１を製造することができる。
【００４８】
なお、本発明に係る筆具用転写フィルム、筆具および筆具の製造方法は、上記実施形態に限定されるものではなく、本発明の要旨を逸脱しない範囲で種々の変更が可能である。また、上記した複数の実施形態の構成や方法等を任意に採用して組み合わせてもよく、さらに、下記する各種の変形例に係る構成や方法等を任意に選択して、上記した実施形態に係る構成や方法等に採用してもよいことは勿論である。
【符号の説明】
【００４９】
１  筆具
２，２ａ，２ｂ，２ｃ，２ｄ，２ｅ  筆具用転写フィルム
１０  筆具本体部
１０ｓ  筆具本体部の表面
２０  転写部
２０ｓ  転写部の表面
２２  滑り止めゴム層
２２ａ  ゴム層パターン部
２２ｂ  ゴム層基部
２６  有機溶剤不透過性樹脂層
２６ｓ  有機溶剤不透過性樹脂層の表面
２６ｂ  有機溶剤不透過性樹脂層の裏面
２８  接着性樹脂層
２９  重複部
３０  滑り止めゴム層側の剥離部
３０ｓ  滑り止めゴム層側の剥離部の表面
３２  接着性樹脂層側の剥離部
【図１】
2018001629.tif 000003
【図２】
2018001629.tif 000004
【図３】
2018001629.tif 000005
【図４】
2018001629.tif 000006
【図５】
2018001629.tif 000007
【図６】
2018001629.tif 000008
【図７】
2018001629.tif 000009
【図８】
2018001629.tif 000010
【図９】
2018001629.tif 000011